(57)【特許請求の範囲】
【請求項１】
文字、記号あるいは図形等からなる意匠パターンをネガあるいはポジのいずれかの関係となるように中抜きしたそれぞれ他のマスク層とは異なる波長域を透過領域とする複数のマスク層を１枚あるいは複数枚の透明基板上に成膜した光学構造体と、前記複数のマスク層に対応した波長域に発光強度のピークを有する複数種類の可視光光源を備え、
前記可視光光源の光は縦軸を発光強度とし横軸を波長としたグラフにおいて発光強度のピークを頂点に鐘形曲線を描くような光学特性を有し、
前記複数のマスク層から選択された２つの前記マスク層に対応する２つの前記可視光光源の光の波長域の少なくとも一方が対応しない側の前記マスク層の透過波長域内に部分的に存在し、
前記複数のマスク層の重複方向から前記可視光光源を選択的に照射して対応する前記マスク層以外のマスク層で選択された前記可視光光源の光を遮蔽して前記可視光光源毎に異なる意匠パターンを目視させるようにした光学表示装置において、
２つの前記可視光光源の光のうち、それぞれ対応しない側の前記マスク層の透過波長域内に部分的に存在する光の光学特性について、前記グラフにおける２つの前記鐘形曲線の隣接する裾野部分の透過率を抑制する光学特性の光源補正層を前記マスク層と前記可視光光源の間に配置し、前記可視光光源の光と前記光源補正層を透過した後の補正光との色差がＣＩＥ  １９７６Ｌ*ｕ*ｖ*表色系において３５未満となるようにしたことを特徴とする光学表示装置。
【請求項２】
前記光源補正層に補正される２つの前記可視光光源の光は波長方向に互いに重複する発光領域を有することを特徴とする請求項１に記載の光学表示装置。
【請求項３】
前記マスク層は少なくとも２つの前記マスク層が互いに重複する透過波長域を有することを特徴とする請求項１又は２に記載の光学表示装置。
【請求項４】
前記光源補正層は単一の光学特性を備え、２つの前記可視光光源の両方に使用されることを特徴とする請求項１〜３のいずれかに記載の光学表示装置。
【請求項５】
前記光源補正層は第１及び第２の光源補正層から構成され、前記第１の光源補正層の光学特性が前記第２の光源補正層よりも短波長側に透過率ピークがある場合に、前記第１の光源補正層を２つの前記可視光光源のうちのいずれか短波長側の前記可視光光源用に使用し、前記第２の光源補正層をいずれか長波長側の前記可視光光源用に使用することを特徴とする請求項１〜３のいずれかに記載の光学表示装置。
【請求項６】
２つの前記マスク層は緑色系と橙色系であることを特徴とする請求項１〜５のいずれかに記載の光学表示装置。
【請求項７】
前記光源補正層は第１及び第２の光源補正層から構成され、前記第１の光源補正層の光学特性を２つの前記マスク層のうちのいずれか短波長側に透過率ピークのある前記マスク層の透過波長特性と一致させて２つの前記可視光光源のうちのいずれか短波長側の前記可視光光源用に使用し、前記第２の光源補正層の光学特性をいずれか長波長側にピークのある前記マスク層の透過波長特性と一致させていずれか長波長側の前記可視光光源用に使用することを特徴とする請求項１〜３のいずれかに記載の光学表示装置。
【請求項８】
２つの前記マスク層は青色系と赤色系であることを特徴とする請求項１〜３又は７に記載の光学表示装置。
【請求項９】
前記マスク層の上層には複数種類の前記可視光光源の透過を許容するとともに外光を吸収して前記マスク層の意匠パターンを遮蔽する遮蔽層が配設されていることを特徴とする請求項１〜８のいずれかに記載の光学表示装置。
【請求項１０】
前記光源補正層は前記可視光光源の表面に直接形成されていることを特徴とする請求項１〜９のいずれかに記載の光学表示装置。
【請求項１１】
前記２つの前記可視光光源は４９０ｎｍ〜５２０ｎｍにピークのある青緑、緑色系の光源と、５９０ｎｍ〜６２０ｎｍにピークのある橙色系の光源であることを特徴とする請求項１〜１０のいずれかに記載の光学表示装置。
【発明の詳細な説明】
【技術分野】
【０００１】
本発明は複数のマスク層から構成され背後の可視光光源から光を照射することで意匠パターンを中抜きした文字表示を行う光学表示装置に関するものである。
【背景技術】
【０００２】
従来から例えば携帯電話、パソコン、家電製品等の電化製品の表示面には文字、記号あるいは図形等の意匠パターンが印刷された所定の波長域の光のみを透過させる光学特性のマスク層を有する光学フィルムが配設され、可視光光源としてのバックライトで照らし出されたそれら文字等を視認させることでユーザーに機能を説明したりなんらかの入力を促すようになっている。例えば携帯電話では数字の印刷されたテンキーは基本的に電話番号の入力用のキーであり、バックライトで照らし出されたテンキーを押動するとその数字が電話番号として入力されることとなる。このような携帯電話の一例として特許文献１を挙げる。
このような意匠パターンのマスク層を複数用意して重複配置させ、異なる色のバックライトを使用することで異なる意匠パターンを表示させる光学表示装置に関する技術が提供されている。そのような技術の一例として特許文献２を挙げる。特許文献２では異なる２種類の光源として赤色ＬＥＤと青色ＬＥＤを使用して赤色と青色のそれぞれの波長域に透過特性を有するマスク層を使用して赤色ＬＥＤと青色ＬＥＤのいずれかを点灯させて赤色あるいは青色の意匠パターンを表示させるものである。
【０００３】
上記特許文献２では光源を青色ＬＥＤと赤色ＬＥＤとし、青色と赤色を透過させるようなマスク層を使用している。２色を使用する場合ではこのように青・赤系を採用することが比較的多い。光源に青色光と赤色光を使用するのは光学的に２つの色の波長のピークが十分離れているためである。もし波長域が近いと本来マスク層で遮蔽されるべき光が部分的に透過して遮蔽されるべき意匠パターンが目視されるような不具合が生じるためである。また、マスク側についても透過域が十分離れており、透過域の重複（かぶり）がない（あるいは非常に少ない）ため一般に光源となる光がそのかぶり位置に存在することはなく、遮蔽すべき青色光又は赤色光が遮蔽されるべきマスク層側から透過してしまうこともない。
【先行技術文献】
【特許文献】
【０００４】
【特許文献１】特開２００２−１１１８３６号公報
【特許文献２】特開２００８−１６４８７７号公報
【発明の概要】
【発明が解決しようとする課題】
【０００５】
ところで、電化製品によっては使用する光源として青色光と赤色光以外の光を使用したいという要請がある。例えば、青色光は眼にきつく、また冷たく感じる印象がある。そのため、より柔らかな印象の緑色系の光源を使用したいというわけである。赤色光についても赤色は一般に「危険」を意味する色のイメージであるため、暖色系であっても赤色ではなく橙色系や黄色系の光源を使用したいという場合がある。また、赤色は色弱者にとっては見にくいため、色弱者でも見やすい色として橙色系を使用したいという理由もある。
ここに例えば、緑色光と橙色光をそれぞれ青色光と赤色光の代わりに使用する場合を想定する。図５に示すように、意匠パターンを中抜きした２層のマスク層１０１、１０２を重複配置する。そして、このマスク層１０１、１０２の重複方向に緑色ＬＥＤ１０３と橙色ＬＥＤ１０４を配置してそれらを交互に点灯させた場合の見え方を検討するものとする。ここでは話を単純化するために光学表示装置として必要なその他の構成は省略する。
このようなマスク層１０１、１０２のインクの光学特性はそれぞれ表２の（１）と（２）のグラフの通りであり、緑色ＬＥＤ１０３と橙色ＬＥＤ１０４の光学特性はそれぞれ表３の（４）と（５）のグラフの通りである。表２及び表３からわかるように緑色光はインクの橙色の透過域に及んでしまっており、逆に橙色光はインクの緑色の透過域に及んでしまっている。光源は単一の波長のみで構成されているのではなく、ある発光強度のピークを頂点に正規分布曲線のような鐘形曲線を描くため、光源を基準にマスク層の透過域を設定するとこのように波長域が接近している２種類の光源では本来透過してはならない領域まで光が及んでしまうことがある。
従って、この場合では図５の点線のように緑色ＬＥＤ１０３の光は本来遮蔽されるべきマスク層１０１を一部透過し、橙色ＬＥＤ１０４の光も本来遮蔽されるべきマスク層１０２を一部透過してしまうこととなって、常に両方のマスク層１０１、１０２の意匠パターンが目視できてしまうこととなる。このように本来見えてほしい意匠パターン以外の意匠パターンが目視できてしまうことは、本来見えてほしい意匠パターンが見えにくくなったり、所定モードにおいて間違えてモード状態を理解するおそれもあり好ましくない。そのため、従来では緑色と橙色のような発光ピークの接近した光源を使用することができなかった。
本発明は、このような従来の技術に存在する問題点に着目してなされたものである。その目的は、波長域が近い複数の可視光光源を使用した場合であってもマスク層の意匠パターンを各マスク層毎に浮かび上がらせることができる光学表示装置を提供することである。
【課題を解決するための手段】
【０００６】
上記課題を解決するための請求項１の発明では、文字、記号あるいは図形等からなる意匠パターンをネガあるいはポジのいずれかの関係となるように中抜きしたそれぞれ他のマスク層とは異なる波長域を透過領域とする複数のマスク層を１枚あるいは複数枚の透明基板上に成膜した光学構造体と、前記複数のマスク層に対応した波長域に発光強度のピークを有する複数種類の可視光光源を備え、前記可視光光源の光は縦軸を発光強度とし横軸を波長としたグラフにおいて発光強度のピークを頂点に鐘形曲線を描くような光学特性を有し、前記複数のマスク層から選択された２つの前記マスク層に対応する２つの前記可視光光源の光の波長域の少なくとも一方が対応しない側の前記マスク層の透過波長域内に部分的に存在し、前記複数のマスク層の重複方向から前記可視光光源を選択的に照射して対応する前記マスク層以外のマスク層で選択された前記可視光光源の光を遮蔽して前記可視光光源毎に異なる意匠パターンを目視させるようにした光学表示装置において、２つの前記可視光光源の光のうち、それぞれ対応しない側の前記マスク層の透過波長域内に部分的に存在する光の光学特性について、前記グラフにおける２つの前記鐘形曲線の隣接する裾野部分の透過率を抑制する光学特性の光源補正層を前記マスク層と前記可視光光源の間に配置し、前記可視光光源の光と前記光源補正層を透過した後の補正光との色差がＣＩＥ  １９７６Ｌ*ｕ*ｖ*表色系において３５未満となるようにしたことをその要旨とする。
また、請求項２の発明では請求項１の発明の構成に加えて、前記光源補正層に補正される２つの前記可視光光源の光は波長方向に互いに重複する発光領域を有することをその要旨とする。
また、請求項３の発明では請求項１又は２の発明の構成に加えて、前記マスク層は少なくとも２つの前記マスク層が互いに重複する透過波長域を有することをその要旨とする。
【０００７】
また、請求項４の発明では請求項１〜３のいずれかの発明の構成に加えて、前記光源補正層は単一の光学特性を備え、２つの前記可視光光源の両方に使用されることをその要旨とする。
また、請求項５の発明では請求項１〜３のいずれかの発明の構成に加えて、前記光源補正層は第１及び第２の光源補正層から構成され、前記第１の光源補正層の光学特性が前記第２の光源補正層よりも短波長側に透過率ピークがある場合に、前記第１の光源補正層を２つの前記可視光光源のうちのいずれか短波長側の前記可視光光源用に使用し、前記第２の光源補正層をいずれか長波長側の前記可視光光源用に使用することをその要旨とする。
また、請求項６の発明では請求項１〜５のいずれかの発明の構成に加えて、２つの前記マスク層は緑色系と橙色系であることをその要旨とする。
【０００８】
また、請求項７の発明では請求項１〜３のいずれかの発明の構成に加えて、前記光源補正層は第１及び第２の光源補正層から構成され、前記第１の光源補正層の光学特性を２つの前記マスク層のうちのいずれか短波長側に透過率ピークのある前記マスク層の透過波長特性と一致させて２つの前記可視光光源のうちのいずれか短波長側の前記可視光光源用に使用し、前記第２の光源補正層の光学特性をいずれか長波長側に透過率ピークのある前記マスク層の透過波長特性と一致させていずれか長波長側の前記可視光光源用に使用することをその要旨とする。
また、請求項８の発明では請求項１〜３又は７の発明の構成に加えて、２つの前記マスク層は青色系と赤色系であることをその要旨とする。
また、請求項９の発明では請求項１〜８のいずれかの発明の構成に加えて、前記マスク層の上層には複数種類の前記可視光光源の透過を許容するとともに外光を吸収して消灯時に前記マスク層の意匠パターンを遮蔽する遮蔽層が配設されていることをその要旨とする。
また、請求項１０の発明では請求項１〜９のいずれかの発明の構成に加えて、前記光源補正層は前記可視光光源の表面に直接形成されていることをその要旨とする。
また、請求項１１の発明では請求項１〜１０のいずれかの発明の構成に加えて、前記２つの前記可視光光源は４９０ｎｍ〜５２０ｎｍにピークのある青緑、緑色系の光源と、５９０ｎｍ〜６２０ｎｍにピークのある橙色系の光源であることをその要旨とする。
【０００９】
このような構成の光学表示装置では、２つのマスク層に対応する２つの可視光光源の光の少なくとも一方が対応しない側のマスク層の透過領域まで及ぶこととなっている。つまり、本来いずれか一方の可視光光源の光が遮蔽されるべきはずのマスク層側でも光が一部透過されることとなり、そのままでは上記図５の破線で示すように常に両方のマスク層の意匠パターンが目視できてしまうこととなる。これは可視光光源の光が縦軸を発光強度とし横軸を波長としたグラフにおいて発光強度のピークを頂点に鐘形曲線を描くような光学特性を有し、裾野部分が両方のマスク層の波長域に存在するためである。
本発明では、光源補正層をマスク層と可視光光源の間に配置し、その光源補正層によってそれぞれ対応しない側の前記マスク層の透過波長域内に部分的に存在する光の透過率を抑制することで、本来一方の可視光光源の光が透過してはいけない側のマスク層でその光の透過を防止するようにしている。尚、可視光光源の鐘形曲線を描くような光学特性はピークを挟んだ左右が対称である場合だけでなく対称ではない場合も含むものとする。
ここに、透過率を抑制するとは望ましくは、対応しない側の可視光光源の光がまったく透過しないことであるが、実質上問題ない程度の抑制ができれば必ずしもまったく透過しない場合であってもよい。また、後述するような遮蔽層を設けたりしてユーザーの眼に入る光自体を抑制することができればそれだけ抑制量を削減することも可能である。
光源補正層に抑制される２つの前記可視光光源の光は波長方向に互いに重複する発光領域にある光であり、少なくともこのような光は必ず両方のマスク層の意匠パターンが目視できることとなるため抑制されなければならない。光源補正層は可視光光源とは別個に透明基板等に成膜されていてもよいが、可視光光源の表面に直接形成されていてもよい。
【００１０】
１つの態様として光源補正層は単一の光学特性を備え、２つの前記可視光光源の両方に使用されることが望ましい。単一の光学特性を備えていることで、２つの可視光光源のそれぞれに別個の光源補正層を配設する手間がなくなるためである。
また、他の態様として光源補正層は第１及び第２の光源補正層から構成され、第１の光源補正層の光学特性が第２の光源補正層よりも短波長側に透過率ピークがある場合に、第１の光源補正層を２つの可視光光源のうちのいずれか短波長側の前記可視光光源用に使用し、第２の光源補正層をいずれか長波長側の可視光光源用に使用することが望ましい。第１及び第２の光源補正層をこのように配置することで正しく可視光光源の光を抑制することができる。これら２つの態様では２つの前記マスク層は緑色系と橙色系であることが好適である。
【００１１】
また、他の１つの態様として光源補正層を第１及び第２の光源補正層から構成し、第１の光源補正層の光学特性を２つの前記マスク層のうちのいずれか短波長側に透過率ピークのあるマスク層の透過波長特性と一致させて２つの可視光光源のうちのいずれか短波長側の前記可視光光源用に使用し、第２の光源補正層の光学特性をいずれか長波長側に透過率ピークのあるマスク層の透過波長特性と一致させていずれか長波長側の前記可視光光源用に使用することが望ましい。つまり、光源補正層の特性とマスク層の特性を同じものとするというものである。このような構成であれば光源補正層を新たに設計しなくとも、２つのマスク層のぞれぞれの特性を流用することができ、透過波長域、遮蔽波長域が重なるため有利である。２つの前記マスク層は青色系と赤色系であることが好ましい。つまり波長域が比較的遠い２つの特性を有しているマスク層であることが好ましい。
前記マスク層の上層には複数種類の前記可視光光源の透過を許容するとともに外光を吸収して前記マスク層の意匠パターンを遮蔽する遮蔽層が配設されていることが好ましい。このような遮蔽層によって、本来見えてほしくないマスク層の意匠パターンが外光や可視光光源によって見えてしまうのを極力防止することができる。また、遮蔽層の外層に反射層を配置するようにしてもよい。
光源については十分に波長域が離間しているのであれば、このような光源補正層は不要である。比較的接近している波長同士に適用することが好ましく、より具体的には例えば４９０ｎｍ〜５２０ｎｍにピークのある青緑、緑色系の光源と、５９０ｎｍ〜６２０ｎｍにピークのある橙色系の光源が挙げられる。
また、前記可視光光源の光と前記光源補正層を透過した後の補正光との色差がＣＩＥ  １９７６Ｌ*ｕ*ｖ*表色系において３５未満であることが好ましい。そもそも、その可視光光源を目視させたいとして可視光光源に選択しているわけであるから、可視光光源が光源補正層を透過することによって、可視光光源とはあまりにかけ離れた光が目視されるようでは好ましくないからである。そして、色差が３５未満であれば人の眼にかけ離れているとは認識されないからである。
ＣＩＥ  １９７６では３刺激値（Ｘ：主に赤系、Ｙ：主に緑系、Ｚ：主に青系）によって計算される均等色空間ＣＩＥ１９７６ＵＣＳ色度図によってあらわされる３次元直交座標を用いたＬ*ｕ*ｖ*表色系としている。Ｌ*は明度指数を、ｕ*ｖ*はクロマティクネス指数である。Ｌ*ｕ*ｖ*表色系では２つの試料の間の色差を座標Ｌ*ｕ*ｖ*の差であるΔＬ*、Δｕ*、Δｖ*によって定義し、その量を下記式で表している。この式において得られる色差が３５未満であるということである。
表１はＤ６５標準光源を基準光としたときのＣＩＥ  １９７６Ｌ*ｕ*ｖ*表色系（２度視野）における各光源色の色差の一例である。この表１に示すように、概ね色差が３５を超える程度から人の目には２つの光が異なる色調に感じることとなるため、補正後の可視光光源の光の色差が３５未満であることが好ましい。
【００１２】
【数１】
0005608897.tif 000002
【００１３】
【表１】
0005608897.tif 000003
【００１４】
ここに、本発明のマスク層、光源補正層及び遮蔽層は数十ｎｍ〜数百μｍの厚さの膜体であって、マスク層及び光源補正層では所定の透過率を有し、遮蔽層では所定の吸収率及び透過率を有する。
マスク層、光源補正層及び遮蔽層は主にバインダー樹脂中に微粒子を分散させ所定の成膜方法（印刷、スピンコート、ディッピング、塗布、染色等）で成膜することが考えられる。バインダー樹脂としては実質的に透明であって、照射光を大きく変化させないものであれば特に限定されるものではない。例えばポリエステル、ポリカーボネート、ウレタン系樹脂、アクリル系樹脂、メタクリル系樹脂、有機ケイ素系樹脂、フッ素系樹脂が挙げられる。微粒子素材としては顔料、染料あるいは蛍光剤等が具体的に挙げられる。
また、誘電体多層膜によってマスク層、光源補正層及び遮蔽層を構成することもできる。誘電体薄膜層としては一般にはそれ自体が多層膜構造を取ることとなる。誘電体薄膜の膜数、膜素材、膜厚を設計することによって透過光（つまり反射光）を自由に制御することが可能である。多層膜の各構成膜層は金属もしくは金属窒化物もしくは金属酸化物もしくは金属フッ化物からなる膜素材であって、例えばＣｒ（クロム）、Ｎｉ（ニッケル）、Ｓｉ（シリコン）、Si3N4（窒化シリコン）ＴｉＯ2（二酸化チタン）、Ｔａ2Ｏ5（五酸化タンタル）、ＳｉＯ2（酸化ケイ素）、ＭｇＦ2（フッ化マグネシウム）、ＣａＦ2(フッ化カルシウム)、ＺｒＯ2（酸化ジルコニュウム）らが挙げられる。
本発明では構成されるマスク層の数は特に限定されるものではない。所望の波長に対する反射性能又は透過性能を発現させるために化合物を選択し、組み合わせて誘電体光学膜を構成することが可能である。誘電体薄膜層の成膜方法に特に限定的な意味はないが一般的には蒸着法やスパッタリング法で成膜されることが好ましい。
【００１５】
本発明に使用される透明基板は一般にその表面に成膜可能な材質であれば特に限定されるものではなく、例えばガラス、ポリカーボネート、ポリメチルメタクレート及びその共重合体、ポリプロピレン、ポリエチレン、塩化ビニル、ＡＢＳ樹脂、フェノール樹脂、メラミン樹脂、シリコーン樹脂、ＮＢＲ樹脂、ＡＳ樹脂等が一例として挙げられる。
本発明は例えば、家電製品、携帯電話、ＰＤＡ（Personal Digital Assistants）のような電化製品の表示画面に応用することが可能である。
【発明の効果】
【００１６】
上記各請求項の発明では、複数のマスク層の意匠パターンを異なる色の可視光光源を使用して各マスク層の意匠パターンのみを目視させるような光学表示装置において、互いに波長域が近い可視光光源を使用した場合であってもマスク層の意匠パターンを各マスク層毎に高コントラストで浮かび上がらせることが可能となる。
【図面の簡単な説明】
【００１７】
【図１】本発明の実施例の光学表示装置をファクシミリ装置に応用した場合の説明図。
【図２】実施例１の光学表示装置の構造を模式的に説明する説明図。
【図３】実施例２の光学表示装置の構造を模式的に説明する説明図。
【図４】実施例３の光学表示装置の構造を模式的に説明する説明図。
【図５】従来の光学表示装置の構造を模式的に説明する説明図。
【発明を実施するための形態】
【００１８】
以下、本発明の光学表示装置の実施例について図面に従って説明する。
（実施例１）
図１に示すように、光学表示装置１０は例えば電化製品であるファクシミリ装置１１に搭載されるものとする。光学表示装置１０は光学フィルム１２とその背後に配置された可視光光源としての２種類の第１及び第２のＬＥＤ１３、１４とより構成されている。第１及び第２のＬＥＤ１３、１４の表面には直接光源補正層が成膜されている。第１及び第２のＬＥＤ１３、１４は意匠パターンに対応した位置に過不足なく照明できるように適度な間隔で複数個配置されている。光学表示装置１０は第１及び第２のＬＥＤ１３、１４の点灯状態を変更することで待機時に表示される「ＳＬＥＥＰ」の文字と操作可能状態で表示される「ＳＴＡＲＴ」の両方の意匠パターンを選択的に表示させることができる。
【００１９】
次に、このような光学表示装置１０のより詳しい構造について説明する。
光学フィルム１２は図２に示すように透明基板１５の裏面側に成膜されている。光学フィルム１２は透明基板１５側から順に遮蔽層１６、第１のマスク層１７、第２のマスク層１８の３層構造とされている。本実施例１では各層１６、１７、１８とも蒸着によって成膜されている。図１に示すように、第１のマスク層１７には上記「ＳＬＥＥＰ」の文字部分が意匠パターンＰ１として中抜きされおり、第２のマスク層１８には上記「ＳＴＡＲＴ」の文字部分が意匠パターンＰ２として中抜きされている。
第１及び第２のＬＥＤ１３、１４が第２のマスク層１８に対向する位置に配置されている。第１及び第２のＬＥＤ１３、１４は光源補正層が蒸着によってその表面に成膜されているため、図２では模式的に光源補正層１９として第２のマスク層１８と第１及び第２のＬＥＤ１３、１４の間に配置するように表現する。
【００２０】
第１のマスク層１７の光学特性は透過−吸収特性を示す表２のグラフにおいて（１）の光学特性を示し、第２のマスク層１８は表２のグラフの（２）の光学特性を示し、遮蔽層１６は表１のグラフの（３）の光学特性を示す。
尚、各層の光学特性は可視光域のみに特化して記入されている。
表２のグラフ（１）に示すように、第１のマスク層１７は短波長側の波長群である３８０ｎｍ〜５３０ｎｍ辺りの光に対してはほぼ平均０％の透過率に設定され、５３０ｎｍ〜５８０ｎｍにかけて急激に透過率が上昇し、５８０ｎｍより長波長側で平均９５％程度の透過率に設定されている。このような光学特性では寒色系の色は透過できず暖色系の色が透過できることとなる。第１のマスク層１７に白色光を透過させて肉眼で単独目視すると橙色を呈することとなる。
一方、表２のグラフ（２）に示すように、第２のマスク層１８は短波長側の波長群である３８０ｎｍ〜５３０ｎｍ辺りの光に対しては平均９５％程度の透過率に設定され、５３０ｎｍ〜５８０ｎｍにかけて急激に透過率が減少し、５８０ｎｍより長波長側でほぼ平均０％の透過率とされている。このような光学特性では暖色系の色は透過できず寒色系の色が透過できることとなる。第２のマスク層１８に白色光を透過させて肉眼で単独目視すると青緑色を呈することとなる。
この（１）及び（２）のグラフから分るように５３０ｎｍ〜５８０ｎｍにかけて両マスク層１７、１８は重複する透過波長域を有することとなる。
また、表２のグラフ（３）に示すように、遮蔽層１６は可視光域（４００〜７５０ｎｍの範囲）において一定した透過率に設定されている。
【００２１】
表３のグラフ（４）に示すように、第１のＬＥＤ１３の光は５２０ｎｍ付近にピークのある左右対称の鐘形曲線の光学特性を示す。従って、その光は肉眼で緑色を呈することとなる。表３のグラフ（５）に示すように、第２のＬＥＤ１４の光は６２０ｎｍ付近にピークのある左右対称の鐘形曲線の光学特性を示す。従って、その光は肉眼で橙色を呈することとなる。本実施例１では両ＬＥＤ１３、１４の光は光源補正層１９によって補正されている。表４のグラフ（４−α）は光源補正層１９によって補正された第１のＬＥＤ１３の光の光学特性であり、表４のグラフ（５−α）は光源補正層１９によって補正された第２のＬＥＤ１４の光の光学特性である。光源補正層１９の光学特性は表５に示す通りである。
光源補正層１９のない状態では両ＬＥＤ１３、１４の光はいずれも両マスク層１７、１８は重複する透過波長域に存在する部分があるが、光源補正層１９を透過させることによって透過波長域に存在しなくなる。これによって図２に示すように第１のＬＥＤ１３の光は第１のマスク層１７に遮蔽されて意匠パターンＰ１を目視させることとなり、逆に第２のＬＥＤ１４の光は第２のマスク層１８に遮蔽されて意匠パターンＰ２を目視させることとなる。その際に第１及び第２のＬＥＤ１３、１４の光が両マスク層１７、１８は重複する透過波長域に存在しないため、意匠パターンＰ１と交錯して意匠パターンＰ２が、逆に意匠パターンＰ２と交錯して意匠パターンＰ１が目視されるようなことがない。
また、実施例１では表６−Ａに示すように、ＣＩＥ  １９７６Ｌ*ｕ*ｖ*表色系において第１及び第２のＬＥＤ１３、１４の光はともに光源補正層１９によって補正された補正光との色差が３５未満に収まっている。尚、補正される前の第１及び第２のＬＥＤ１３、１４の光の光学特性のＬ*ｕ*ｖ*表色系の座標を表６−Ｂに示す。これは以下の実施例でも同様である。
【００２２】
【表２】
0005608897.tif 000004
【００２３】
【表３】
0005608897.tif 000005
【００２４】
【表４】
0005608897.tif 000006
【００２５】
【表５】
0005608897.tif 000007
【００２６】
【表６】
0005608897.tif 000008
【００２７】
（実施例２）
次に実施例１とはマスク層の光学特性が異なる実施例２について説明する。第１及び第２のＬＥＤ１３、１４の構成は実施例１と同じであるため説明は省略する。実施例２では光学表示装置１０のみ異なるためファクシミリ装置１１についての説明は省略する。
実施例２においては図３の模式図に示すような構成とされる。
第１のマスク層２１の光学特性は透過−吸収特性を示す表７のグラフにおいて（６）の光学特性を示し、第２のマスク層２２は表７グラフの（７）の光学特性を示す。遮蔽層２３は表７のグラフの（８）の光学特性を示す。尚、遮蔽層２３の光学特性は実施例１の遮蔽層１６と同じである。
尚、各層の光学特性は可視光域のみに特化して記入されている。
表７のグラフ（６）に示すように、第１のマスク層２１は短波長側の波長群である４３０ｎｍ〜５５５ｎｍ辺りの光に対しては平均０％に近い透過率に設定され、５５５ｎｍ〜６００ｎｍにかけて急激に透過率が上昇し、６００ｎｍより長波長側で平均９５％程度の透過率に設定されている。このような光学特性では寒色系の色は透過できず暖色系の色が透過できることとなる。第１のマスク層２１に白色光を透過させて肉眼で単独目視すると赤色を呈することとなる。
一方、表７のグラフ（７）に示すように、第２のマスク層２２は短波長側の波長群である３８０ｎｍ〜５００ｎｍ辺りの光に対しては平均９５％程度の透過率に設定され、５００ｎｍ〜５５０ｎｍにかけて急激に透過率が減少し、５５０ｎｍより長波長側でほぼ平均０％の透過率とされている。このような光学特性では暖色系の色は透過できず寒色系の色が透過できることとなる。第２のマスク層２２に白色光を透過させて肉眼で単独目視すると青色を呈することとなる。
【００２８】
表７のこの（６）及び（７）のグラフから分るように両マスク層２１、２２は実施例１よりも互いに離間した透過波長域を有することとなる。従って、そもそも実施例１よりも第１のＬＥＤ１３の光の波長域は第１のマスク層２１とは重複する波長域が少なく、第２のＬＥＤ１４の光の波長域も第２のマスク層２２と重複する波長域が少なくなる傾向となる。しかし、両マスク層２１、２２が実施例１の場合よりも離間した波長域であるとしても、表３の両ＬＥＤ１３、１４と照合してみると依然として第１のＬＥＤ１３は第１のマスク層２１の透過波長域に存在する（第２のＬＥＤ１４は第２のマスク層２２の透過波長域に存在していない）。そのため、このままでは第１のＬＥＤ１３は第１のマスク層２１を透過してしまうこととなる。
【００２９】
本実施例２では両ＬＥＤ１３、１４の光は光源補正層２４によって補正されている。表８のグラフ（６−α）は光源補正層２４によって補正された第１のＬＥＤ１３の光の光学特性であり、表８のグラフ（７−α）は光源補正層２４によって補正された第２のＬＥＤ１４の光の光学特性である。光源補正層２４の光学特性は表９に示す通りである。
表８のグラフ（６−α）（７−α）と表７の両マスク層２１、２２の波長域（６）（７）をそれぞれ照合すると、両ＬＥＤ１３の光は透過波長域に存在しなくなっている（第２のＬＥＤ１４は補正前から存在しない）。これによって図３に示すように第１のＬＥＤ１３の光は第１のマスク層２１に遮蔽されて意匠パターンＰ１を目視させることとなり、逆に第２のＬＥＤ１４の光は第２のマスク層２２に遮蔽されて意匠パターンＰ２を目視させることとなる。その際に第１及び第２のＬＥＤ１３、１４の光が両マスク層２１、２２は重複する透過波長域に存在しないため、意匠パターンＰ１と交錯して意匠パターンＰ２が、逆に意匠パターンＰ２と交錯して意匠パターンＰ１が目視されることがない。
また、実施例２でも表１０に示すように、ＣＩＥ  １９７６Ｌ*ｕ*ｖ*表色系において第１及び第２のＬＥＤ１３、１４の光はともに光源補正層２４によって補正された補正光との色差が３５未満に収まっている。
【００３０】
【表７】
0005608897.tif 000009
【００３１】
【表８】
0005608897.tif 000010
【００３２】
【表９】
0005608897.tif 000011
【００３３】
【表１０】
0005608897.tif 000012
【００３４】
（実施例３）
次に実施例２とは光源補正層の光学特性のみが異なる実施例３について説明する。実施例３は光学フィルム１２の構成や第１及び第２のＬＥＤ１３、１４の構成は実施例２と同じであるため説明は省略する。また、実施例３でも光学表示装置１０のみ異なるためファクシミリ装置１１についての説明は省略する。
実施例３においては図４の模式図に示すような構成とされる。図４に示すように、実施例３の光源補正層は第１のＬＥＤ１３側に配置される第１の光源補正層２５ａと第２のＬＥＤ１４側に配置される第２の光源補正層２５ｂとから構成されている。実際の第１及び第２のＬＥＤ１３、１４にはそれぞれの表面に異なる光学特性の第１及び第２の光源補正層２５ａ、２５ｂが成膜されることとなる。
第１の光源補正層２５ａの光学特性は第２のマスク層２２の光学特性と一致する。また、第２の光源補正層２５ｂの光学特性は第１のマスク層２１の光学特性と一致する。
このため、第3の実施例では光源補正層として前記２種のマスク層の他に第三の光学特性を持つ層を 調色する必要がなくなる。
表１１のグラフ（８−α）は第１の光源補正層２５ａによって補正された第１のＬＥＤ１３の光の光学特性であり、表１１のグラフ（９−α）は第２の光源補正層２５ｂによって補正された第２のＬＥＤ１４の光の光学特性である。
【００３５】
補正後の両ＬＥＤ１３、１４の光学特性である表１１のグラフ（８−α）（９−α）と表７の両マスク層２１、２２の波長域（６）（７）をそれぞれ照合すると、ＬＥＤ１３の光は透過波長域に存在しなくなっている（第２のＬＥＤ１４は補正前から存在しない）。これによって図４に示すように第１のＬＥＤ１３の光は第１のマスク層２１に遮蔽されて意匠パターンＰ１を目視させることとなり、逆に第２のＬＥＤ１４の光は第２のマスク層２２に遮蔽されて意匠パターンＰ２を目視させることとなる。その際に第１及び第２のＬＥＤ１３、１４の光が両マスク層２１、２２は重複する透過波長域に存在しないため、意匠パターンＰ１と交錯して意匠パターンＰ２が、逆に意匠パターンＰ２と交錯して意匠パターンＰ１が目視されることがない。
また、実施例３ではマスク層２１、２２と同じ特性の光源補正層２５ａ、２５ｂを使用しているため、透過波長域、遮蔽波長域が重なることで、光源（補正後）の色相とマスク層の色相が近づき同色化しやすい。
また、実施例３でも表１２に示すように、ＣＩＥ  １９７６Ｌ*ｕ*ｖ*表色系において第１及び第２のＬＥＤ１３、１４の光はそれぞれ光源補正層２５ａ、２５ｂによって補正された補正光との色差が３５未満に収まっている。
【００３６】
【表１１】
0005608897.tif 000013
【００３７】
【表１２】
0005608897.tif 000014
【００３８】
尚、この発明は、次のように変更して具体化することも可能である。
・上記では説明の簡略化のために２つのマスク層の場合について説明したが、３つ以上のマスク層を有する光学表示装置に応用することも可能である。
・マスク層や光源の波長域は上記に限定されるものではない。例えば寒色系の２つの光源に応用することも可能である。
・透明基板１５への成膜順序や成膜方法、また、透明基板１５の枚数は適宜変更可能である。
・光源補正層についての成膜方法も自由である。また、ＬＥＤに直接成膜するのではなく、透明基板上に成膜させるようにしてもよい。
・遮蔽層１６、２３の光学特性は上記に限定されるものではない。また、遮蔽層１６、２３を使用せずに光学表示装置１０を構成することも可能である。
・また、遮蔽層１６、２３は蒸着以外に市販品の減光フィルムを用いてもよい。
・遮蔽層１６、２３の上層に反射層を設けるようにしてもよい。
・照射用の光源はＬＥＤやＥＬなどの単色光源が好ましいが、電球などの光源と薄膜を組み合わせた光源を用いても良く、導光板や拡散板などを使って照射光とするのが良い。
その他本発明の趣旨を逸脱しない態様で実施することは自由である。
【符号の説明】
【００３９】
１０…光学表示装置、１３、１４…可視光光源としてのＬＥＤ、１５…透明基板、１７、１８、２１、２２…マスク層、Ｐ１、Ｐ２…意匠パターン。
【図１】
0005608897.tif 000015
【図２】
0005608897.tif 000016
【図３】
0005608897.tif 000017
【図４】
0005608897.tif 000018
【図５】
0005608897.tif 000019